Podtech/llm-jp-corpus-v4-ja_patent huggingface dataset:
(57)【要約】【課題】  調理中の灰汁を、効果的に処理できる。灰汁とりオタマを提供する。【解決方法】  灰汁とりオタマの本体を使用可能な材質で作り、本体（１）の、ナベ肌カーブ（２）を設けたことを特徴とする。【選択図】図１
2014023902.tif 000002
【特許請求の範囲】
【請求項１】
オタマ本体を使用可能な材質で作り、オタマ本体（１）に、ナベ肌に沿ったカーブ（２）を設けた調理用の灰汁とりオタマ。
【発明の詳細な説明】
【技術分野】
【０００１】  この発明は、調理中の灰汁を効果的に、処理する調理用の灰汁とりオタマに関するものである。
【技術背景】
【０００２】  従来、調理中の灰汁をとる道具は色々あっても、その道具を使わず手軽に、ふつうのオタマですませることが多い。変形オタマも灰汁用でなく、ナベ肌カーブに沿っていない。
【発明の概要】
【発明が解決しようとする課題】
【０００３】  これには次のような欠点があった。
従来のオタマでは、すくいとれる灰汁は少ないので処理に手間がかかる。
本発明は、この欠点を解決するためになされたものである。
【課題を解決するための手段】
【０００４】  オタマの材質は、使用に耐えられるものであれば、どのような物でもよい。オタマ（１）の本体に、ナベ肌に沿ったカーブ（２）を設ける。ひとつのオタマに、二個、三個、四個、五個などの数種類のナベ肌カーブを設けてもよい。オタマの柄は、とりはずし可能なものにすると便利である。オタマの凹部の中心に、棒を立てた柄でもよい。
本発明は、以上の構成よりなる調理用の灰汁とりオタマである。
【発明の効果】
【０００５】  このオタマは、ナベ肌にフィットする部分が広く、灰汁の処理がスピーディーになる。
【図面の簡単な説明】
【０００６】
【図１】  本発明の使用状況をあらわした平面図である。
【図２】  本発明の断面図である。
【図３】  従来のオタマの使用状況をあらわした平面図である。
【図４】  従来のオタマの断面図である。
【発明を実施するための形態】
【０００７】  以下に、本発明の実施例について説明する。
灰汁とりオタマの本体（１）の、ナベ肌カーブ（２）を、ナベ肌（３）に、フィットさせて灰汁をすくいとる。
本発明は、以上のような構造で、これを使う時は、
本体（１）のオタマの、ナベ肌カーブ（２）を、ナベ肌（３）に、おしあてフィットさせて使用する。
【符号の説明】
【０００８】  １、本体          ２、ナベ肌カーブ          ３、ナベ          ４、従来のオタマ
【図１】
2014023902.tif 000003
【図２】
2014023902.tif 000004
【図３】
2014023902.tif 000005
【図４】
2014023902.tif 000006
(57)【要約】      （修正有）【課題】スニーカーがスムーズに履けるようにするためにファスナー付きのスニーカーを提供する。【解決手段】スニーカーの踵寄りの後部の両側面にファスナー（１）（２）を設けたスムーズに履ける構造のスニーカーを特徴とする。【選択図】図１
2014023899.tif 000002
【特許請求の範囲】
【請求項１】
スニーカーの踵寄りの後部の両側面にファスナー（１）（２）を設けた構造をなすスニーカー。
【発明の詳細な説明】
【技術分野】
【０００１】  この発明は、履きやすくするためにスニーカーの踵寄りの後部の両側面にファスナーを設けた構造をなすファスナー付きのスニーカーに関するものである。
【背景技術】
【０００２】  従来、スニーカーを履くためには、前方の靴紐を緩めたり或いは靴の最後部の内側を指で外側に引いて踵部分に隙間を開けて履くことが多かった。
【発明の開示】
【発明が解決しようとする課題】
【０００３】  これには、次のような欠点があった。
スニーカーの紐を履く度に緩めるには時間がかかりすぎる、また、指で靴の後部を引いて踵部分に隙間を開けるには多少無理があった。本発明は、以上のような欠点をなくすためになされたものである。
【課題を解決するための手段】
【０００４】  スニーカーの踵寄りの後部の両側面にファスナー（１）（２）を設ける。
本発明は、以上の構成よりなるスムーズに履ける構造のスニーカーである。
【発明の効果】
【０００５】  スニーカーの踵寄りの後部の両側面にファスナーが付いているため、これを下げた状態では紐を緩めたり或いは靴の最後部を外側に引いたしなくとも足がスムーズにスニーカーに入り、簡単に履くことが可能である。
【発明を実施するための最良の形態】
【０００６】  以下、本発明を実施するための最良の形態について説明する。
スニーカーの踵寄りの後部の両側面にファスナー（１）（２）を設ける。ファスナーを下げた状態で足のつま先をスニーカーの中に入れ、そのまま足の踵部分を下げるだけで隙間が出来るため簡単に履くことが出来る。紐を緩めたり、指で踵部分の内側を引いて無理に隙間を作らなくても容易にスニーカーを履くことが出来る。
【図面の簡単な説明】
【０００７】
【図１】  本発明の斜視図である。
【符号の説明】
【０００８】    １  外側に付けたファスナー
２  内側に付けたファスナー
３  スニーカー
【図１】
2014023899.tif 000003
(57)【要約】【課題】  洗濯物を取り込む際に、一気に取り込みができる物干ワーヤーを提供する。【解決手段】  両端にフックを設けたコイル状の形状記憶ワイヤーを物干竿に通し、フックを左右の物干台に引っかけて固定し、洗濯物を干し、取り込みの際にフックを外して竿から抜き取ることで一気に取り込みができることを特徴とした伸縮性物干ワイヤー。【選択図】図４
2014023896.tif 000002
【特許請求の範囲】
【請求項１】
両端にフックを設けたコイル状の形状記憶ワイヤー（バネ）を物干竿に通し、フックを左右の物干台に引っかけて固定し、洗濯物を干し、取り込みの際にフックを外し竿から抜き取ることで一気に取り込みができる伸縮性物干ワイヤー。
【発明の詳細な説明】
【技術分野】
【０００１】本発明は、洗濯物の取り込みが一気にできる、物干具に関するものである。
【背景技術】
【０００２】洗濯物取り込みは一気に澄ませたいが、ハンガー等を物干から１つずつ取り外している。
【発明の開示】
【発明が解決しようとする課題】
【０００３】そのため以下の問題点がある。
（イ）１つずつ取り外すのにもたもたと時間を要する。
（ロ）急な雨の時はせっかく乾いた洗濯物が取り込みに時間要するために再び濡れてしまう。
（ハ）夏場は蚊が、冬場は寒さが不快である。
本発明は、以上の問題点を解決するためになされたものである。
【課題を解決するための手段】
【０００４】両端にフックを設けたコイル状の形状記憶ワイヤーを物干竿に通し、フックを左右の物干台に引っかけてワイヤーを伸びた状態で固定する。ワイヤー部分に洗濯ハンガー等をかけて洗濯物を干し、取り込みの際にフックを外し竿から抜き取ることで一気に取り込みができる。以上を特徴とした物干具である。
【発明の効果】
【０００５】本発明は洗濯竿に通したコイル状のワイヤーに洗濯物をかけることで、ワイヤーを竿から外すだけで一気に洗濯物が取り込めるといった、洗濯物取り込みの手間と時間を省くことができる。また、ワイヤーを竿に通すため、洗濯物の重さによるワイヤーの垂れ下がりも防げる。
【発明を実施する最良の形態】
【０００６】以下、本発明の実施の形態について説明する。
（イ）コイル状の形状記憶ワイヤー（１）の両端をフック状（２）に加工する。
（ロ）ワイヤー部は防水、防錆、もつれ防止、安全面の配慮からプラスチック等でコーティング  又はチューブで覆われている（３）。
本発明は以上の構成よりなっている。
本発明を使用する時は、ワイヤーを物干竿に通し、ワイヤーの両端のフックを物干台に引っか  ける。それによりワイヤーが伸びたままの状態を保ち、ハンガーや蛸足型物干し等をかけて  重みが生じても極度な垂れ下がりを防止できる。洗濯物取り込みの際は、ワイヤーの両端のフックを外し、竿から抜き取るだけで一気に取り込みが完了する。ワイヤーの取り外しの作業が面倒な場合は、従来通りハンガー等を１つずつ外す取り込み方法も可能である。
【図面の簡単な説明】
【０００７】
【図１】本発明の斜視図
【図２】本発明の設置例Ａ（物干アームタイプ）
【図３】本発明の設置例Ｂ（物干し台タイプ）
【図４】本発明の使い方
【符号の説明】
【０００８】１．コイル状形状記憶ワイヤー
２．フック
３．コーティングまたはチューブ
【図１】
2014023896.tif 000003
【図２】
2014023896.tif 000004
【図３】
2014023896.tif 000005
【図４】
2014023896.tif 000006
(57)【要約】【課題】  人体の身体（筋肉）が一番リラックスできるお風呂時間、凝った箇所に手を持って解そうとするが自身の手だと届かない場所で逆に他の箇所が疲れてきて結局は断念してしまう。器具などでも電気コードが着いているものや、凹凸のある器具でも安定が悪く強く押付け、筋肉を傷めてしまうことがたたあった。本発明は、浴槽内でしっかり安定させ凝りをとる、お風呂で凝りとりを提供する。【解決手段】  吸盤にゴムボールを装着させ自身の体重だけで刺激を体感し凝りほぐしを特徴とするお風呂で凝りとり。【選択図】図１
2014023897.tif 000002
【特許請求の範囲】
【請求項１】
吸盤の先端にボムゴールを設け、体重により指圧していく入浴時での凝りとり具。
【発明の詳細な説明】
【技術分野】
【０００１】本発明は身体にたまった凝りや疲れを取るため、お風呂に入る際に使用する凝りとり具に関するものである。
【背景文献】
【０００２】  従来、身体の凝り・違和感は自身の手、道具（ゴルフボール）を使い解していました。
手だとなかなか届かない場所では浴槽と自身の身体の間にゴルフボールなどを使い挟む形で使用する。
【先行技術文献】
【特許文献】
【０００３】
【特許文献１】  特許公開２０１１−１０４３２６
【特許文献２】  特許公開２０１０−１７２４５０
【特許文献３】  特許公開２００８−０８６５５５
【特許文献４】  特許公開２００５−０００３６６
【発明の概要】
【発明が解決しようとする課題】
【０００４】自身と浴槽の間にゴルフボールを挟んで使用するとボールが転がることが多くあり、強めに体重をかけてしまいゴルフボールでは硬すぎることがあるため逆に痛くなることがあった。
本発明は以上の問題点をするためになされたものである。
【課題を解決するための手段】
【０００５】ゴムなどでできたボールに吸盤を取り付け、吸盤を浴槽の側面などに吸着させる。
以上の構成により転がり落ちることなく、ゴム製のボールで人体への刺激もやさしくなる。
【発明の効果】
【０００６】従来、自身の手では届かない場所とされていた、肩・肩甲骨周り、ボールなど丸いものでは安定感がなく転がってしまい逆に筋肉を傷めてしまうことがあるものの本発明により安全でよりリラックスすることができる。
【図面の簡単な説明】
【０００７】
【図１】  本発明の横側図
【図２】  本発明の使用状態を示す斜視図
【発明を実施するための形態】
【０００８】以下、本発明の実施の形態を説明する。
（イ）吸盤  （１）の吸盤の先端に（２）のゴムボールを装着
本発明は以上のような構造である。
本発明を使用するときは、吸盤（１）を浴槽の側壁に密着させゴムボール（２）部分に肩や腰などを押し当る。
吸盤でしっかり固定されているためゴムボール（２）が転がり落ちることは無く体重任せで刺激ができ、自宅でのケアができる。
【符号の説明】
【０００９】  １吸盤
２ゴムボール
【図１】
2014023897.tif 000003
【図２】
2014023897.tif 000004
(57)【要約】      （修正有）【課題】旅行移動などに用いるカバン又はバッグは、雪路移動の場合に、移動の利便の為に取り付けられたキャスター等が不能となるばかりでなく、雪路移動においては抵抗加重となっている。又同時に雪によってカバン又はバッグが汚れる不具合もある。【解決手段】カバン又はバッグなどの側面のカバー内部に、ナイロンや他の素材によるフレキシブルな平板２を出し入れ可能な状態にセットして、路面が雪路状態のような不都合な場合に、前記平板２をカバン又はバッグ全体を積載する状態に引き出して、雪上等の移動をすることで、重量の重たいカバンや大きなバッグなどの雪路移動を快適なものとすることができる。【選択図】図２
2014023893.tif 000002
【特許請求の範囲】
【請求項１】
携帯運搬用カバン又はバッグ等を雪上移動運搬する場合の運搬補助シュウズとして、フレキシブルな平面板を前記カバン又はバッグ等の側面に収納し、雪上運搬移動の場合にカバン又はバッグの移動用キャスター等とともに、前記平板の上に前記カバン又はバッグを積載し雪上の運搬移動を快適に行う事を特徴とする、荷物移動用カバン又はバッグ等の雪上移動用補助装置。
【請求項２】
携帯運搬用カバン又はバッグ等の側面には、前記運搬用カバン又はバッグ等に取り付けた運搬用キャスター又は座金等を十分にカバーする幅を持った、高分子製又は他の素材によるフレキシブルな平板を、前記カバン又はバッグの横幅又は縦幅の側面に取り付けた保護カバー内から、移動するカバン又はバッグの全体を前記平板上に積載する状態に引き出し、雪上運搬を快適に行うとともに、通常路運搬時には前記保護カバーに前記平板を復帰収納することを特徴とする、特許請求第１項記載のカバン又はバッグ運搬補助シュウズ。
【発明の詳細な説明】
【技術分野】
【０００１】  本発明は、携帯運搬用カバン又はバッグの雪路運搬時の改善に関する。前記カバン又はバッグの移動労力軽減のために取り付けられたカバン又はバッグ底面のキャスターは、雪路移動においては抵抗加重となり、又同時にカバン又はバッグが雪に汚染することなどの不具合となっている。このことを解決する目的で、本発明は簡便なフレキシブルプレートをカバン又はバッグの側面に出し入れ可能な構造に装着し、雪路移動の場合はプレートをカバン又はバッグの底面にセットすることによって、カバン又はバッグの雪路移動をより快適なものとするものである。
【背景技術】
【０００２】  現在主に旅行移動時の荷物容器として利用されているカバン又はバッグは、携帯することを前提として主な素材としては、金属素材、天然皮革、布素材、特に高分子素材などの多様な素材仕様となっているが、移動運搬の省力化を目的として多くのカバン又はバッグには、底面に移動用キャスターとともに両側面から収納式の引き取手やアーム等が組み込まれている。【０００３】  本願出願において、雪路においては前記収納様式の引き取手と同じ考え方で雪路移動の場合にカバン又はバッグの側面に、ナイロンやポリエチレン、その他の高分子素材又は金属素材などによる平板をカバン又はバッグの側面に収納する状態に取り付け、雪路移動時には、前記平板をカバン又はバッグの底面に引き出して、カバン又はバッグ全体が前記平板の上に積載した状態で雪路移動を快適に行うことで、今日一般に雪路に於けるカバン又はバッグの移動時の不具合を解決するものである。
【発明が解決しようとする課題】
【０００４】  前記のとおり、人々の旅行に伴う荷物入れとしてのカバン又はバッグにおいての今日一般的習慣上の雪路での対応は、手腕によって持ち上げての移動の状態であり、大型のカバンや大重量のバッグの場合は、別の移動手段による必要があるのが一般である。本来携帯用のカバン又はバッグは手軽であることが求められる。本願考案によるカバン又はバッグに組み込まれた板状のシュウズシステムにより前記の不具合が解決される。
【実施対応】
【０００５】  本願考案による携帯運搬用カバン又はバッグの代表的仕様による説明を図１、図２、図３によって説明する。図１は、本考案による加工に基づく携帯運搬用カバン１の、図１−１は前記カバン１の正側面の姿図で、側面中央部の収納式の引き取り手５の外側に収納カバー４に納められたフレキシブルな平板２がレバー３によって下方に引き出され、カバン１全体を雪上において、積載運搬を可能とする機能を示す。また、図１−２は、前記正側面の右方向からの側面図であり、図１−３は、裏側面姿図となっている。
【０００６】  又、図２の図２−１は、一般路１０上の前記カバン１の移動等の予想姿図で、図２−２は、雪路１１上において、平板２を前記カバン１の底面に引出し、カバン１全体を平板２に積載し、快適に移動する姿図となっている。
【０００７】  又、図３の図３−１は、カバン１の運搬をする一般路１０上における人９の姿図であり、図３−２は、雪路１１状態となって、人９が平板２の引き降ろし用レバー３によって平板２を引き出し、前記カバン１全体を平板２の上に積載しようとする姿図であり、図３−３は、雪路１１上を、カバン１を平板２上に積載して軽快に搬送移動する人９の姿図となっている。
【図面の簡単な説明】
【０００８】
【図１】  本考案によって加工されたカバン１の正側面、右側面、裏側面の説明の為の姿図の一例。
【図２】  本考案によって加工されたカバン１の一般路１０上と雪路１１上における移動時の予想姿図。
【図３】  本考案によって加工されたカバン１が人９によって一般路１０上を移動する姿図３−１と、雪路１１になった場合の人９の対応予想図３−２及び雪路１１上を、カバン１を運搬する場合の人９の移動予想図３−３となっている。
【符号の説明】
【０００９】  １．  本願考案による加工を施したカバン
２．  本願考案の主体となる雪路等の移動時にカバン全体を積載して軽快移動を可能と      するための平板シュウズ
３．  前記平板２を引き出し、引き入れする為のレバー
４．  前記平板２を収納する為のカバー
５．  カバンを運搬する為の引き手握り
６．  引き手によってカバンを牽引する為のバー
７．  ６をカバンに納めるガイドケース
８．  キャスター
９．  人
１０．  一般路
１１．  雪路
【図１】
2014023893.tif 000003
【図２】
2014023893.tif 000004
【図３】
2014023893.tif 000005
(57)【要約】      （修正有）【課題】ショルダーバッグとリュックバッグの長所を併せ持ったバッグを提供する。【解決手段】ショルダーバッグの両サイド開口部にもともとついている肩にかけるバンドとは別に、ショルダーバッグの上部（開口部）から下部（底部）に新たなバンドを取り付けておき、ショルダーバッグとして片側の肩にかけたままバッグをかけていない側の肩に新たなバンドをかけたりはずしたりするだけで、必要に応じてリュックとしての機能をもたせる。【選択図】図１
2014023895.tif 000002
【特許請求の範囲】
【請求項１】
ショルダーバッグの上部（開口部）と下部（底部）にバンド状のものをつけ、ショルダーバッグを肩にかけたままそのバンドを反対側の肩のかけることにより瞬時にリュックになるバッグ。
【発明の詳細な説明】
【技術分野】
【０００１】本発明はショルダーバッグをどちらかの肩にかけたまま、バッグの開口部と底部につけたバンド状のものを反対側の肩にかけることにより一瞬でリュックになるバッグに関するものである。
【背景技術】
【０００２】従来リュックとショルダーバッグはそれぞれの目的に応じて使い分ける別々のバッグである。２ウエイ３ウエイバッグという、一つのバッグに両方の機能をもたせたものもあるが、それらはその都度バンドを付け替えたり肩から一回おろしてかけ直したりと、使い分けが面倒である。
【発明の開示】
【発明が解決しようとする課題】
【０００３】リュックには重い荷物を両肩に分けかけることで体の負担を軽くしまた両手をあけることが出来るという長所があり、ショルダーバッグには荷物の出し入れがしやすいという長所がある。本発明は一つのバッグに両方の長所をもたせ、より便利なバッグにすることにある。
【課題を解決するための手段】
【０００４】ショルダーバッグの両サイド開口部にもともとついている肩にかけるバンドとは別に、片側の上部（開口部）と下部（底部）にバンド状のものを取り付けたものが本発明のバッグである。
【発明の効果】
【０００５】本発明で取り付けたバンドを、バッグをかけていない側の肩にかけたりはずしたりするだけで、必要に応じてリュック・ショルダーバッグとして瞬時に使い分けることが出来る。
【発明を実施するための最良の形態】
【０００６】以下、本発明の実施の形態を図面に基づき詳細に説明する。【０００７】図１は本発明の外観を体に密着させる側から見た斜視図である。図２はショルダーバッグとして使用しているところを後ろから見た図である。本発明でつけたバンドはこの状態では使用されていない。図３はリュックとして使用しているところを後ろから見た図である。ショルダーバッグをかけていない側の手で、本発明でつけたバンドをひっぱり肩にかけることにより瞬時にリュックになる。図２・図３ともに右肩にショルダーバッグをかける場合で、左肩にショルダーバッグをかける場合は左右が逆になるだけで形態・使い方は同じである。
【図面の簡単な説明】
【０００８】
【図１】本発明の外観の斜視図である。
【図２】本発明をショルダーバッグとして使用しているところを後ろから見た図である。
【図３】本発明をリュックとして使用しているところを後ろから見た図である。
【図１】
2014023895.tif 000003
【図２】
2014023895.tif 000004
【図３】
2014023895.tif 000005
(57)【要約】【課題】  楽な姿勢で扇いで涼しさを得るため、柄を中心に扇部の左右両側の面積を変える配置構成にして、左側、右側、前方から発生する風量が変わるうちわを提供する。【解決手段】  従来からの扇部の中心線状を中心とした配置構成から、柄２を中心に扇部１の左右両側の面積が異なる構成とする。柄２を中心に弓竹３の左右の長さと柄２の頭部から派生した左右の扇骨４の長さを変えて扇部１を構成することで、柄２を中心として扇部１の左右両側の面積が異なる。このことで、楽な姿勢で扇いでも面積の大きい片側から多くの風量を発生することができる。【選択図】図１
2014023856.tif 000002
【特許請求の範囲】
【請求項１】
扇ぐ力を伝える柄と風を発生する扇部で構成するうちわにおいて、柄を中心として弓竹の左右長さと柄の頭部から派生した左右の扇骨長さを変えて、扇部の左右両側の面積を変える構成にする。発生する風量が左側、右側、前方で変わり、大きい面積側が一番多くの風量を得ることを特徴とするうちわ。
【請求項２】
うちわを構成する素材を、竹、又はプラスチックで構成した請求項１記載のうちわ。
【発明の詳細な説明】
【技術分野】
【０００１】
本発明は、扇いで発生する風量を左右違うことができるうちわに関する。
【背景技術】
【０００２】
従来、うちわは、扇部の中心線上に柄がある構成であつた。扇いで発生する風量は、扇部中心線上の前方からが一番多い。体に多くの風量を受けるには、扇部の中心線上を体に直角にすることである。
【０００３】
扇いで発生する風向を扇がれた方向以外に向けられるうちわが提案されている。（特許文献１参照）。
【先行技術文献】
【特許文献】
【０００４】
【特許文献１】特開２００７−２１１１９号公報
【発明の概要】
【発明が解決しようとする課題】
【０００５】
本発明の課題は、楽な扇ぎ方で多くの風量を体に与えることである。
【課題を解決するための手段】
【０００６】
上記目的を達成するため、本発明は、うちわの柄の位置を扇部中心線上から、外側に配置構成することにした。柄を中心として弓竹の左右長さと柄の頭部から派生した左右の扇骨長さを変えて扇部の左右両側の面積を変える構成にする。発生する風量が左側、右側、前方で変わり、大きい面積側が一番多くの風量を得る。
【発明の効果】
【０００７】
本発明のうちわを用いて扇げば、従来のように扇部の中央前方を体に向けることなく、柄を中心に面積の大きい片側を体の横位置にして楽な姿勢で扇げば、大きな風量、快適な涼しさを得ることができる。
【図面の簡単な説明】
【０００８】
【図１】本発明の実施形態を示すうちわの平面図。
【発明を実施するための形態】
【０００９】
本発明の実施形態について図面を参照して説明する。図１に本発明に係るうちわの実施形態を示す。図１において、１は扇部であって、この扇部１は、柄２と柄２の頭部から派生した扇骨４、及び弓竹３で構成している。柄２の位置を扇部１の中心線上から外側に配置して、弓竹３の左右の長さと柄２の頭部から派生した左右の扇骨４の長さを変えて構成することで、柄２を中心に左右の面積が異なる扇部１としたものである。扇ぐことで大きい面積側がより多くの風量を発生する。
【符号の説明】
【００１０】
１  扇部
２  柄
３  弓竹
４  扇骨
【図１】
2014023856.tif 000003
(57)【要約】【課題】  本発明は呼気漏れによるメガネの曇り止め、および、花粉や塵埃等の流入防止ができるメガネの曇り止めマスクを提供する。【解決手段】  マスク本体（１）の上縁の中央部にハの字状に切れ込みを設け、ハの字の内側に凸部（２）を設け、ハの字状切れ込み両外側を下方に折り逆Ｖ字二重構造部（３）とし、上昇呼気遮断帯を設け、マスク本体（１）の凸部（２）を、メガネ（５）の鼻パッド（６）で押さえる構造のメガネの曇り止めマスク。【選択図】図１
2014023888.tif 000002
【特許請求の範囲】
【請求項１】
マスク本体（１）の上縁の中央部にハの字状に切れ込みを設け、ハの字の内側に凸部（２）を設け、ハの字状切れ込み両外側を下方に折り逆Ｖ字二重構造部（３）とし、上昇呼気遮断帯を設け、マスク本体（１）の凸部（２）を、メガネ（５）の鼻パッド（６）で押さえる構造のメガネの曇り止めマスク。
【発明の詳細な説明】
【技術分野】
【０００１】  本発明は呼気漏れによるメガネの曇り止め、および、花粉や塵埃などの流入を防止できるメガネの曇り止めマスクに関するものである。
【背景技術】
【０００２】  従来、通常のマスクは、鼻、口を覆い、マスク本体を通して呼吸するものであるが、鼻部と頬面の間に窪みがあった。
マスクの上部に金物を取り付け、それを鼻の形に合わせて隙間を減らし、スポンジなど弾力性のあるものを取り付けたものなどがあったが充分とはいえず、呼気漏れが起こっていた。
また、呼吸をしたり、会話をしたり、顔を動かすことにより、その形状が顔の形に合わなくなり、少しずつ隙間ができ、やはり呼気が漏れてメガネが曇るといった不具合が生じていた。
大きめのメガネなら、その下縁で押さえられるがすべてのメガネに適応できるものがなかった。
【先行技術文献】
【０００３】
【特許文献１】  特願平１１−１７７５９１号公報
【特許文献２】  実開平２−３０３６１号公報
【発明の概要】
【発明が解決しようとする課題】
【０００４】  マスクを着用したとき、鼻の背近傍に隙間ができ、その隙間から呼気が漏れ、漏れた呼気によってメガネが曇っていた。
また、外気が流入し、外気と共に流入する花粉や塵埃などの侵入を防ぐことができなかった。
また、人によって鼻の形や頬の形大きさが異なり、さらにマスクを着用する位置により背近傍にできる隙間の形もそれぞれ異なる。【０００５】  特許文献１に記載のマスクは、マスク本体から上部へ突出した薄膜状帯をメガネフレーム、または、メガネの下縁で押さえる構造のため、薄膜状帯体が目に非常に近くマスクを使用したとき、違和感がある。
また、通常メガネフレーム、もしくは、メガネレンズと顔面とは隙間があるのが普通で、通常のメガネでは薄膜状帯体を顔面に押さえることはむずかしい。
その結果、鼻の背近傍の隙間をなくすことはむずかしい。【０００６】  特許文献２記載のマスクでは呼気上昇遮断布の両側縁部がマスク本体の両側縁に、または、その近傍に系止されているため、このマスクを着用したとき、呼気上昇遮断布は、マスク本体と共に左右に引っ張られる。
そのため、鼻の背近傍に遊びがなく、鼻の背近傍の隙間をなくすことはむずかしい。
メガネも必要、マスクも必要という状況において、呼気が漏れるとメガネが曇り、前が見えず、物事に集中できない。危険が見られた。
大きめのメガネなら、そのフレーム、もしくは、メガネレンズの下縁で押さえられるがすべてのメガネに適応できるものはないか。【０００７】  本願の出願人は、上記課題を解決するために着眼したのが、メガネには必ず付いている鼻部上部両側に当ててメガネを固定するメガネの鼻パッドである。
この固定性を利用すれば、メガネの大小にこだわらずマスクとの連動において、この難問を解決できると考えた。
本発明は、メガネには必ず鼻パッドが付いている。
これを利用して、メガネの大小にこだわらず、この鼻パッドとマスクの一部を使い、鼻パッドでマスクを押さえ呼気漏れを防ぐものである。
マスクの上縁の中央部に２カ所切れ込みを入れ、両外側頬面下方に折り、凸状とする。
その凸部を鼻の上部中央部にあてがう。
その上でメガネの鼻パッド部でマスクの凸部を両側から押さえる。
マスクの切れ込みの両端は、内側頬面に折り込み逆Ｖ字二重構造とする。
上昇呼気は遮断され呼気漏れを防ぐことを目的とする。
【課題を解決するための手段】
【０００８】  マスク本体（１）の上縁の中央部にハの字状に切れ込みを設け、ハの字の内側に凸部（２）を設け、ハの字状切れ込み両外側を下方に折り逆Ｖ字二重構造部（３）とし、上昇呼気遮断帯を設け、マスク本体（１）の凸部（２）を、メガネ（５）の鼻パッド（６）で押さえる構造のメガネの曇り止めマスク。
【発明の効果】
【０００９】  メガネを着けた状態でマスクを着用しても、メガネが曇ることがない。
メガネが曇らないので、物事に集中できる。
救急・医療・工場・研究室、その他、一般において、メガネが曇り困る、ということがなくなった。
また、花粉や塵埃などの流入、飛沫飛散といった悩みが解消された。
【図面の簡単な説明】
【００１０】  以下、本発明の実施の形態を説明する。
【図１】  本発明の正面図である。
【図２】  メガネの付属品の鼻パッドの説明図である。
【発明を実施するための形態】
【００１１】  以下、本発明を実施するための形態について説明する。
図１は、マスク本体（１）の両側に耳かけゴム（４）を設ける、
マスク本体（１）の上縁の中央部にハの字状に切れ込みを入れて、両外側を頬面側下方に折り凸部（２）、および、逆Ｖ字二重構造部（３）を設けた説明図である。
図２は、メガネの付属品の鼻パッドの説明図である。
マスク本体（１）の上縁の中央部２カ所にハの字状に切れ込みを入れる。
ハの字に切った両外側を頬面側に下方に折ることにより凸部（２）を設ける。
その両外側逆Ｖ字二重構造部（３）にて呼気遮断帯を設ける。
次にメガネ（５）には必ず付いている鼻パッド（６）を活用して、この鼻パッド（６）をマスク本体（１）に設けた凸部（２）にあてがい、凸部（２）を鼻パッド（６）の両側で押さえ固定密着させる。
逆Ｖ字二重構造部（３）両端は、下方頬面側に逆Ｖ字形となって折り込まれることにより、エラ蓋の形状を得られ、保たれることにより、上昇呼気は遮断される。
以上、三者鼻パッド（６）、凸部（２）、逆Ｖ字二重構造部（３）の３つのはたらきにより、呼気漏れによるメガネ（５）の曇りを防止することができる。
また、花粉や塵埃等の流入を防ぎ、飛沫飛散防止などの効果がある。
【符号の説明】
【００１２】    １  マスク本体
２  凸部
３  逆Ｖ字二重構造部
４  耳かけゴム
５  メガネ
６  鼻パッド
【図１】
2014023888.tif 000003
【図２】
2014023888.tif 000004
【図３】
2014023888.tif 000005
【手続補正書】
【提出日】平成24年9月12日(2012.9.12)
【手続補正１】
【補正対象書類名】明細書
【補正対象項目名】００１０
【補正方法】変更
【補正の内容】
【００１０】
【図１】  本発明の正面図である。
【図２】  メガネの付属品の鼻パッドの説明図である。
【図３】  本発明の使用状態を示した説明図である。
(57)【要約】【課題】  従来は、ハイキングなどに出かける際に、例えば、子供はジュース、大人はコーヒーを持参したい場合、それぞれに用意した二つの魔法瓶を持ち歩かなければならないのが厄介であった。【解決の手段】  一個の外容器の中に二つの中瓶を設けて、例えば、ジュースとコーヒーの二種類の飲み物を一個の魔法瓶に用意して携帯することが出来る非常に便利な複合魔法瓶を設ける。【選択図】図１
2014023886.tif 000002
【特許請求の範囲】
【請求項１】
一個の外容器の中に複数の中瓶を設けたことと、その中瓶と外容器の空間部を真空状態に設けたことを特徴とする複合魔法瓶。
【請求項２】
一個の外容器の中に複数の中瓶を設けたことと、その中瓶と外容器の空間部に発砲ウレタン、または発砲スチロールを設けたことを特徴とする複合魔法瓶。
【発明の詳細な説明】
【技術分野】
【０００１】  本発明は、例えば、冷たい水と冷たいジュース、又は、熱いコーヒーと熱い日本茶、などのように二種類の飲み物を携帯する場合のために、中瓶を二個設けて、それを一個の外容器に収めた複合魔法瓶に関する。
【背景技術】
【０００２】  従来の魔法瓶は、一つの外容器の中に一個の中瓶が作り込まれているだけである、従って、水類か、熱お茶類などの何れか一種類を入れて携帯するもので不便であった。
【発明が解決しようとする課題】
【０００３】  ハイキングなどに出かける際に、例えば、子供はジュース、大人はコーヒーを持参したい場合、それぞれに用意した二つの魔法瓶を持ち歩かなければならないのが厄介であった。
【課題を解決するための手段】
【０００４】  本発明は、一個の外容器の中に二つの中瓶を設けて、例えば、ジュースとコーヒーの二種類の飲み物を一個の魔法瓶に用意して携帯することが出来る非常に便利な複合魔法瓶を設ける。
【発明を実施するための形態】
【０００５】  本、魔法瓶の実施の形態を図１〜図２に基づいて説明する。
図１、外容器１の中に、中瓶２と中瓶３の２本を設ける、そして、瓶口４と中栓５をそれぞれに設けてコップ兼用の蓋６と蓋７を設ける。
また、外容器１の内部であって、中瓶２と中瓶３の外周は真空部８の状態に設ける。そして、外容器１の胴回りに凹状または凸状の補強を設けてもよい。
図２、外容器１の内部に中瓶２と中瓶３及び真空部８を設ける、中瓶２と中瓶３の間隔及び真空部の容積などは任意である。
【０００６】  尚、中瓶の外周に反射箔を設けること及び中瓶の連結部、中瓶口の構造、さらに、中栓や蓋の構造などは最良の方法で任意に設ける。
本複合魔法瓶に於いて、必要に応じ中瓶を３本４本と数を増やしたものも製造可能である。
【発明の効果】
【０００７】  一個の魔法瓶でありながら、ジュースと水、又はコーヒーと水など二種類の飲み物を携帯できるので非常に便利である、特に、殆どの人はジュースやコーヒーがあっても水を飲みたいときがある、また、熱いお湯と熱いコーヒーなどの携帯にも適用できる優れた効果のある複合魔法瓶である。
【図面の簡単な説明】
【０００８】
【図１】外容器１の内部に二個の中瓶を設けたところの一部開放概略側面図である。
【図２】図１のＡ−Ｂ断面図である。
【符号の説明】
【０００９】１−外容器
２−中瓶
３−中瓶
４−瓶口
５−中栓
６−蓋
７−蓋
８−真空部
【図１】
2014023886.tif 000003
【図２】
2014023886.tif 000004
(57)【要約】【課題】主として、自宅以外で使用する貯金箱である。現在の貯金箱は、自宅で貯金する為の専用の貯金箱である。外出先では出来ない。本発明は、以上の問題点を解決するものである。【解決手段】カード型携帯貯金箱の可動蓋を指で開いて、そこからコインを貯金する。指を離すと可動蓋は元の位置の戻り、貯金は完了する。繰り返して長く使用出来るカード型携帯貯金箱を提供する。【選択図】図１
2014023885.tif 000002
【特許請求の範囲】
【請求項１】
本体（１）に可動蓋（２）と固定蓋（３）を有する事を特徴とする、カード型携帯貯金箱
【発明の詳細な説明】
【技術分野】
【０００１】本発明は、カード型携帯貯金箱に関するものである
【背景技術】
【０００２】従来、貯金箱は机の上、テーブルの上等に置いて、自宅でコイン等を投入して貯金していた
【先行技術文献】
【０００３】
【特許文献１】特許公開  平１１−３１８５３２
【発明の概要】
【発明が解決しようとする課題】
【０００４】現在の貯金箱は、自宅で貯金する為の専用の貯金箱である
外出先では出来ない。本発明は以上の問題を解決するものである
【課題を解決するための手段】
【０００５】本体（１）の可動蓋（２）を指で開き、そこからコインを投入する
コインを投入したら指を離すと可動蓋（２）が元の位置に戻り、貯金が完了する
【発明の効果】
【０００６】いつどこでも貯金が出来る。お釣りの中から貯金が出来る
貯金箱が、財布の中、ポケットの中、ハンドバックの中等にあるので、いつでも貯金が出来る。ガソリンスタンドで給油、お釣りの中から貯金。スーパーで買い物をして、お釣りの中から貯金。レストランで食事をして会計、お釣りの中から貯金がついでに出来る。持ち運びが出来る貯金箱。リサイクルして長く使える貯金箱。本発明が成功した暁には、収益の半分は小児ガンの会に寄附されます
【図面の簡単な説明】
【０００７】
【図１】本体斜視図である
【図２】本体使用斜視図である
【図３】右側側面図である
【図４】可動蓋を開いた右側  側面図である
【図５】可動蓋を開いたコイン投入時の右側  側面図である
【図６】ペットボトル
【図７】カード型携帯貯金箱である
【発明を実施するための形態】
【０００８】貯金をする時は、可動蓋（２）を指で押し開きコインを投入。指を離すと可動蓋（２）は元の位置に戻り、貯金は完了する。
固定蓋（３）を有するので、コインは外部に出ることはない。
コインを取り出す時は、指で可動蓋（２）を押し開ければ簡単に取り出せる。
家を出る時、カード型携帯貯金箱を持って出る。
財布の中、ポケットの中、ハンドバックの中等に入れる。
給油、買い物、食事等のお釣りの中から、その場で貯金。家に帰ったらペットボトルの中へ入れる。
一日に２回貯金出来る。
【符号の説明】
【０００９】１    本体
２    可動蓋
３    固定蓋
４    コイン
５    ペットボトル
６    カード型携帯貯金箱
【図１】
2014023885.tif 000003
【図２】
2014023885.tif 000004
【図３】
2014023885.tif 000005
【図４】
2014023885.tif 000006
【図５】
2014023885.tif 000007
【図６】
2014023885.tif 000008
【手続補正書】
【提出日】平成24年9月27日(2012.9.27)
【手続補正１】
【補正対象書類名】明細書
【補正対象項目名】０００７
【補正方法】変更
【補正の内容】
【０００７】
【図１】本体斜視図である
【図２】本体使用斜視図である
【図３】右側側面図である
【図４】可動蓋を開いた右側  側面図である
【図５】可動蓋を開いたコイン投入時の右側  側面図である
【図６】ペットボトル
(57)【要約】【課題】音楽の演奏時、楽譜がちょっとした風でも捲れてしまう。物で押さえるとページが捲れにくく困っていた。押えバーの上げ下げやゴムなどで押え止めしたりせず、幅が拡縮自在で磁石で挟み止めするスマートな楽譜の誤めくれ防止具を提供する。【解決手段】  開いた楽譜の演奏するページ以外の左右両端を、挟みクリップで固定する。挟みクリップ基台片に強力磁石を設け、挟みクリップ押え具には、五線譜マグネットを設け、演奏をするページ右側に付けたミニクリップが五線譜マグネットに適度の強さでくっ付く。左右の幅を、拡縮自在にするスライドバーを備え、スライドバーの両端で、回転軸ピンで留められた挟みクリップは、非使用時には、自由に回転して、スライドバーの上に、平行に重なり合わさり、コンパクトに収納、携帯できることを特徴とする楽譜誤めぐり防止具。【選択図】図１
2014023889.tif 000002
【特許請求の範囲】
【請求項１】
スライドバーとその左右両端に挟みクリップを結合した本体において、スライドバーの中央の一定域に左右から噛み合うようにスライドして交差するスライド交差部を設け、スライドバーの左右両端縁の真ん中のそれぞれ挟みクリップ基台片の長手中央部を回転軸ピンで止め結合し、それぞれの挟みクリップは、共に二つ折り状の開閉式に形成され、回転軸ピンでスライドバーに結合された挟みクリップ基台片の上に重なるように折り返された挟みクリップ押さえ片の外側図全面に、五線譜マグネットを設け、挟みクリップ基台片の裏（外）側の適所に複数個のネオジウム磁石のような強力磁石を設置し非使用時には、挟みクリップは、回転軸ピンを軸点にして自由に回転し、スライドバーと平行に重ね合わせるように、たたむことができ五線譜マグネット上には、複数個の好みの数だけミニクリップをつけて、使用時に備えて仮置きしておくことを特徴とする楽譜の誤めくれ防止具。
【発明の詳細な説明】
【技術分野】
【０００１】  本発明は、楽譜や本のページがめくれを予防するものである。
【背景技術】
【０００２】  従来、楽譜や本は、エアコンの風等を防ぐためにクリップ形式の留め具等で押さえていた。台板にバネ押さえでバーにゴムを巻き、中央につまみをつけたものも知られている（特許文献１参照）。
【先行技術文献】
【特許文献】
【０００３】
【特許文献１】特許公開平１０−２０３０５０５号公報
【発明の概要】
【発明が解決しようとしている課題】
【０００４】  楽譜などを押さえておき、あるいは捲ることは、クリップやゴムでは捲りにくく本も傷む。演奏しながら譜面をしっかり固定しつつ同時に素早く捲るためには、両手でクリップをつけはずしたり、その都度バーを上げ下げして調整するのでは、非常に手がかかって面倒であり、又ゴム等は大事な譜面を傷つけやすい。又素敵な演奏の雰囲気づくりの面でも、見栄えがよく、スマートな用具でなければ適さない。  本発明は、以上の問題点を解決するためになされたものである。
【課題を解決するための手段】
【０００５】  スライドバーとその左右両端に挟みクリップを結合した本体において、スライドバーの中央の一定域に、左右から噛み合うようにスライドして交差するスライド交差部を設け、スライドバーの左右両端縁の真ん中の位置で、それぞれ挟みクリップ基台片の長手片中央部を回転軸ピンで止め結合する。それぞれの挟みクリップは、共に二つ折り状の開閉式に形成され、回転軸ピンでスライドバーに結合された挟みクリップ基台片の上に重なるように折り返された挟みクリップ押さえ片の外側全面に五線譜マグネットを設ける。挟みクリップ基台片の裏（外）側の適所に複数個のネオジウム磁石のような強力磁石を設置する。非使用時には、挟みクリップは、回転軸ピンを軸点にして自由に回転し、スライドバーと平行に重ね合わせるように、たたむことができる。五線譜マグネット上には、複数個の好みの数だけミニクリップをつけて、使用時に備えて仮置きしておく。  以上を特徴とする楽譜の誤めくれ防止具である。
【発明の効果】
【０００６】  楽譜の見開き左右のページがきちんと止まり、マグネットにクリップが適度の強さで付くことにより本も傷めることもなくページを固定でき、ページ捲りが正確にでき、風で捲れてしまうのも防ぐことができる。
【図面の簡単な説明】
【０００７】
【図１】本発明の一部である本体の斜視図
【図２】本発明の使用状態を示す図
【図３】本発明の一部分であるミニクリップの諸形状例を示す拡大図
【図４】本発明の非使用時の畳んだ状態を示す図
【発明を実施するための形態】
【０００８】  以下、本発明の実施の形態を説明する。スライドバー（１）とその左右両側に挟みクリップ（２）を結合した本体（７）において、スライドバー（１）の中央の一定域に左右から噛み合うようにスライドして交差するスライド交差部（６）を設け、スライドバー（１）の左右両端縁の真ん中の位置で、それぞれ挟みクリップ基台片（８）の長手片中央部を回転軸ピンで（３）止め結合する。それぞれの挟みクリップ（２）は、共に二つ折り状の開閉式に形成され、回転軸ピン（３）でスライドバー（１）に結合された挟みクリップ基台片（８）の上に重なるように折り返された挟みクリップ押さえ片（９）の外側全体に五線譜マグネット（４）を設ける。挟みクリップ基台片（８）の裏（外）側の適所に、複数個のネオジウム磁石（１０）のような強力磁石を設置する。非使用時には、挟みクリップ（２）は、回転軸ピン（３）を軸点にして自由に回転し、スライドバー（１）と平行に重ね合わせるようにたたむことができる。五線譜マグネット（４）上には、複数個の好みの数だけミニクリップ（５）をつけて、使用時に備えて仮置きしておく。本発明は、以上のような構成であり、これを実際使用する時は、従来の譜面台の上に、楽譜の譜捲れ防止具の本体（７）を置き、スライドバー（１）で楽譜のサイズに調整し、両側の挟みクリップ（２）に演奏するページ以外を止める。演奏するページには、右側に、ミニクリップ（５）を、１ページずつ高さをずらして、つけておく。演奏しながら、ページを捲ると、このミニクリップ（５）が左側の五線譜マグネット（４）にくっ付き、風等でも捲れてしまうことがない。非使用時には、図５のように回転軸ピン（３）により、コンパクトに畳めて、演奏旅行などにも適したおしゃれで可愛いものである。
【符号の説明】
【０００９】  １  スライドバー、  ２  挟みクリップ、  ３  回転軸ピン、  ４  五線譜マグネット、  ５  ミニクリップ、  ６  スライド交差部、  ７  本体、  ８  挟みクリップ基台片、  ９  挟みクリップ押さえ片、  １０  ネオジウム磁石
【図１】
2014023889.tif 000003
【図２】
2014023889.tif 000004
【図３】
2014023889.tif 000005
【図４】
2014023889.tif 000006
(57)【要約】      （修正有）【課題】病院での、痰吸引後の排液処理において、作業者への感染又作業の時間的負担、開閉する事による器具の不具合等の問題を解決する。【解決手段】まず排液貯留瓶の吸引口から細い吸引チューブを差し込み、蓋を開放することなく、汚水槽に排液を吸引する。吸引終了後、消毒液を自動で送る。消毒終了後最初の動作で汚水槽にこの消毒液を引き込む。汚水槽、消毒液槽、ポンプ、操作部は一つのカート内に収納されているのでそのまま、汚物処理室へ移動し排液用ホースをセットして、ストップバルブ（Ｒ）を開き，汚水槽にポンプの排気圧力をかけ排液する。【選択図】図１
2014023882.tif 000002
【特許請求の範囲】
【請求項１】
病院で行う、痰吸引の貯留瓶内の排液を、吸引ポンプの吸引圧力及び排気圧力を利用して排液吸引・消毒液送水・排液の排水を行うことを特徴とする。
【請求項２】
たん吸引の貯留瓶につながる１本のチューブで排液吸引・消毒液送水を行う事を特徴とする。
【発明の詳細な説明】
【技術分野】
【０００１】この発明は、病院で行われる、痰吸引の排液処理に関する。
【背景技術】
【０００２】従来行われていた、痰吸引物の処理は、必ず貯留瓶の蓋を開け排液していた。
【発明の開示】
【発明が解決しようとする課題】
【０００５】しかしながら、貯留瓶の蓋を開けて排液することによる作業の時間的ロス、感染の危険性があった。
そこで、この発明は、排液の吸引、消毒液の送水、排液の排水を自動で行う装置を提供することを課題とする。
【課題を解決するための手段】
【０００６】以上の課題を解決ために、この発明は、ポンプの吸引圧力、排気圧力をコントロールして排液の吸引、消毒液の送水排液の排水を自動で行うことを特徴とする装置である。
【発明の効果】
【０００７】この発明によれば貯留瓶の蓋を開けずに排液できるので、全く排液に接触することはなく感染の恐れがない。又排液の吸引・消毒液の送水がその場ででき作業時間のロスが大幅に改善できる。
【発明を実施するための最良の形態】
【０００９】この発明の一実施形態を図１に示す。
痰の入った貯留瓶内の排液を汚水槽に吸引する為に吸引ポンプを作動させ電磁弁Ｂ，Ｃ，Ｅ，Ｆを閉鎖しＡ，Ｄを開放する事により汚水槽に陰圧をかけ排液を引き込む。
次にポンプを作動させたまま電磁弁Ａ，Ｄを閉鎖し，Ｂ，Ｃ，Ｅ、Ｆを開放することにより消毒液槽に排気圧力をかけ、貯留瓶に消毒液を送る。消毒完了後この消毒液を最初の動作で汚水槽に引き込む。図１の点線内部はカートに収納されているので、この状態で汚物処理室まで移動する。排液準備完了後ストップバルブを開き電磁弁Ａ，Ｄ，Ｆ，Ｅを閉鎖し、Ｂ，Ｃを開放する。ポンプを作動させることにより排液タンク内に排気圧力をかけ回収排液を汚物流しに排水する。
【実施形態の効果】
【００１０】この実施形態によれば、排液貯留瓶の蓋を開閉する事がないので排液作業者の感染は勿論のこと、１本の接続されたチューブで排液吸引と消毒液送水を行う事が出来るので非常に便利である。
【図１】
2014023882.tif 000003
【手続補正書】
【提出日】平成24年8月30日(2012.8.30)
【手続補正２】
【補正対象書類名】明細書
【補正対象項目名】全文
【補正方法】変更
【補正の内容】
【発明の詳細な説明】
【技術分野】
【０００１】この発明は、病院で行われる、痰吸引の排液処理に関する。
【背景技術】
【０００２】従来行われていた、痰吸引物の処理は、必ず貯留瓶の蓋を開け廃液していた。
【発明の開示】
【発明が解決しようとする課題】
【０００５】しかしながら、貯留瓶の蓋をあけて排液することによる作業の時間的ロス、感染の危険性があった。
そこで、この発明は，排液の吸引、消毒液の送水、排液の排水を自動で行う装置を提供することを課題とする。
【課題を解決するための手段】
【０００６】以上の課題を解決するために、この発明は、ポンプの吸引圧力、排気圧力をコントロールして排液の吸引、消毒液の送水，排液の排水を自動で行うことを特徴とする装置である。
【発明の効果】
【０００７】この発明によれば、貯留瓶の蓋を開けずに排液ができる。全く排液に接することがないので感染の恐れがない。又排液の吸引・消毒液の送水がその場ででき作業時間のロスが大幅に改善できる。
【発明を実施するための最良の形態】
【０００９】この発明の一実施形態を図一に示す。
痰の入った貯留瓶の排液を汚水槽に吸引する為に吸引ポンプを作動させ、電磁弁Ｂ，Ｃ，Ｅ，Ｆを閉鎖しＡ，Ｄを開放する事により汚水槽に陰圧をかけ排液を引き込む。次にポンプを作動させたまま電磁弁Ａ，Ｄを閉鎖Ｂ，Ｃ，Ｅ，Ｆを開放することにより消毒液槽に排気圧力をかけ、貯留瓶に消毒液を送る。消毒完了後この消毒液を最初の作動で汚水槽に引き込む。図１の点線内部はカートに収納されているので、この状態で汚物処理室まで移動する。排液準備完了後、ストップバルブを開き電磁弁ＡＤ，Ｆ，Ｅを閉鎖し、Ｂ，Ｃを開放する。ポンプを作動させることにより，排液タンク内に排気圧をかけ回収排液を汚物流しに排水する。
【実施形態の効果】
【００１０】この実施形態によれば、排液貯留瓶の蓋を開閉することがないので排液作業者の感染は勿論のこと、排液作業全般の省力化につながる。
【図面の簡単な説明】
【００１１】この系統図は排液、消毒液、空気の流れを理解するための図である。ポンプを作動させ電磁弁ＢＣＥＦを閉、ＡＤを開で貯留瓶の排液を汚水槽に引き込む。次に電磁弁ＡＤを閉、ＢＣＥＦを開にすると、排気圧力が消毒液槽にかかり消毒液が貯留瓶に送り込まれる。この排液を最初の方法で汚水槽に回収する。次に電磁弁ＡＤＦＥ閉、ＢＣを開で排液タンクに排気圧をかけ回収排液を排水する。
(57)【要約】【課題】頭皮が硬化し始まると抜け毛や薄毛に陥る為にお湯と突起物を利用し両手を使用し頭皮をマッサージをし健康な肌と髪の毛を維持する頭皮手動具を提供する。【解決手段】柔らかい樹脂材を使用し突起部に孔を貫通し湯袋カバー内に湯を蓄めその孔から湯をたれ流し突起部の先端が均一に頭部の頭皮に触れ両手と腕を利用し左右、斜め、前後にマッサージを容易に使用できる用にした頭皮手動具である。【選択図】図３
2014023884.tif 000002
【特許請求の範囲】
【請求項１】
突起支持部板に突起部を設け、其の突起の中央部に孔を貫通し、突起支持部板の上部に湯袋カバーを備い、その中央上部に湯入れ口を設け両脇に指差し開口部と握り部を備いた頭皮手動具である。
【発明の詳細な説明】
【技術分野】
【０００１】  本発明は樹脂板に突起物（凸）を複数設け、頭皮膚に充て左右に両手で動かし頭皮に刺激を与える頭皮手動具に関するものである。
【背景技術】
【０００２】  従来、頭皮をシャンプーするものや電動でマッサージするもの等は以外と多く片手で使用するものがほとんどである。
【発明の開示】
【発明が解決しようとする課題】
【０００３】  頭皮を指先で揉んだり、突起物の付いてる物でマッサージをしても中々大変で効果を出せないのが現状であった。
そこで、両手を使用し頭皮に充てた突起物を満遍無く効率よく頭皮を動かし育毛や血行を良くする物である。
【課題を解決するための手段】
【０００４】  突起支持部板の中央下に突起物を設け、両脇に握り部を備える事で両手、両腕を使用し左右に引くことで頭皮が動き血行が良くなる頭皮手動具である。【０００５】  突起支持部板の上部に湯袋カバーを周説し密着し中央部に湯入れ口を設け突起物を凸し央部に孔を貫通したものと孔を開けないものを並列に設け湯袋カバーに湯を満たし頭皮に流し潤滑湯と成り頭皮を痛めなく使用できる頭皮手動具である。【０００６】頭皮手動具をたて、横、斜めに動かすことで満遍無く血行を皮膚を動かす事ができる頭皮手動具である。
【発明の効果】
【０００７】両手、両腕を使用する事で無理なく全頭皮をマッサージでき効果が大きい。
【発明を実施するための最良の形態】
【０００８】  以下、本発明の実施の形態について図面を参照して説明する。
図１の湯袋カバー（１）を突起支持部板（６）の上部に周説し此を密着し、その中央部に湯入れ口（２）設けて、握り部（４）を操作するために指差し開口部（５）を設ける事により指先４本を通し親指をからめ手、握り部（４）しっかりと持てる物である。【０００９】  図２の突起支持部板（６）に突起部（７）を並列にし突起部の中央に孔を貫通した湯注ぎ孔（３）をまばらに配列し指差し開口部（５）に握り部（４）を設けたもの。【００１０】図３は図２の中央部を断面図にＡ−Ａに表したものであり、湯袋カバー（１）に湯入れ口（２）中央上部に設け突起支持部板（６）の下部に孔を設けた突起部と孔を設けない突起部を配列した断面図である。【００１１】図４の斜め正面から視た斜視図であり全体を表現したものである。【００１２】図５の図は、使用方法を表現した参考図であり、握り部（４）を手（９）で握り持ち頭部に頭皮手動具をのせ湯袋カバー（１）に湯入り口（２）から湯を入れ頭皮に湯注ぎ孔（３）から、たれ流し左右、前後、斜めに手（９）と腕（８）で動かし頭皮をマッサージする頭皮手動具である。
【図面の簡単な説明】
【００１３】
【図１】  本発明の平面図
【図２】  本発明の底面図
【図３】  本発明の中央断面図
【図４】  本発明の斜視図
【図５】  本発明の使用参考図
【符号の説明】
【００１４】１  湯袋カバー
２  湯入れ口
３  湯注ぎ孔
４  握り部
５  指差し開口部
６  突起支持部板
７  突起部
８  腕
９  手
【図１】
2014023884.tif 000003
【図２】
2014023884.tif 000004
【図３】
2014023884.tif 000005
【図４】
2014023884.tif 000006
【図５】
2014023884.tif 000007